(57)【要約】【課題】  着座時に運動を気軽に楽しみながら行うことができる椅子を提供すること。【解決手段】  座部１１と、座部１１の左右の側部にそれぞれ配置された一対の肘掛け１３と、座部１１を所定の高さ位置に支持する脚部１５とを備えて椅子１０が構成されている。肘掛け１３は、前後に延びるベース１７と、このベース１７の上部に重なる位置に設けられて肘掛け１３の上面領域を形成するスライダ１８とを備えている。スライダ１８は、ベース１７に対して前後方向にスライド移動可能に設けられ、このスライド移動により発音するようになっている。【選択図】      図１
2007061146.tif 000002
【特許請求の範囲】
【請求項１】
所定高さに位置する座部と、この座部に着座した者が把持可能な位置に設けられるとともに、座部に対して相対移動可能な移動体とを備え、
前記移動体は、前記相対移動により発音可能に設けられていることを特徴とする椅子。
【請求項２】
前記座部の側部には肘掛けが配置され、この肘掛けの一部若しくは全部は、前記移動体により構成されていることを特徴とする請求項１記載の椅子。
【請求項３】
前記移動体は、前記肘掛けの上面を形成するとともに、前後方向にスライド移動可能に設けられたスライダを含み、このスライダのスライド移動により発音可能に設けられていることを特徴とする請求項２記載の椅子。
【請求項４】
前記移動体は、座部の側方に着脱自在に複数設けられるとともに、少なくとも一つの移動体の重さが他の移動体の重さと異なるように設定されていることを特徴とする請求項１記載の椅子。
【請求項５】
前記座部の後部には背もたれが配置され、前記移動体は、背もたれの上方で上下移動可能に設けられていることを特徴とする請求項１記載の椅子。
【発明の詳細な説明】
【技術分野】
【０００１】
本発明は、椅子に係り、更に詳しくは、着座者が座部に座りながら気軽に運動を行うことができる椅子に関する。
【背景技術】
【０００２】
従来より、着座しつつ運動を行える椅子として、特許文献１に開示されたものが知られている。同文献の椅子は、座部に対して肘掛けが回転自在に取り付けられており、着座した状態で肘掛けを持ちながら腰を捻転することにより、運動やトレーニングを行えるようになっている。
【０００３】
【特許文献１】特開平１１−１１３６６４号公報
【発明の開示】
【発明が解決しようとする課題】
【０００４】
しかしながら、このような椅子にあっては、運動が単調となるために、着座者に対する運動促進効果を十分に得られ難くなるという不都合を招来する。また、トレーニングを行うとしても、同じ運動の繰り返しとなるため、継続性を維持することが困難になるという不都合もある。かかる不都合は、障害を有する者や高齢者がリハビリテーションに用いる場合、体力の低下等の原因により特に顕出することとなる。
【０００５】
［発明の目的］
本発明は、このような不都合に着目して案出されたものであり、その目的は、着座時に運動を気軽に楽しみながら行うことができる椅子を提供することにある。
【課題を解決するための手段】
【０００６】
前記目的を達成するため、本発明は、所定高さに位置する座部と、この座部に着座した者が把持可能な位置に設けられるとともに、座部に対して相対移動可能な移動体とを備え、
前記移動体は、前記相対移動により発音可能に設けられる、という構成が採用されている。
【０００７】
本発明において、前記座部の側部には肘掛けが配置され、この肘掛けの一部若しくは全部は、前記移動体により構成されるとよい。
【０００８】
また、前記移動体は、前記肘掛けの上面を形成するとともに、前後方向にスライド移動可能に設けられたスライダを含み、このスライダのスライド移動により発音可能に設けられる、という構成を採ることが好ましい。
【０００９】
更に、前記移動体は、座部の側方に着脱自在に複数設けられるとともに、少なくとも一つの移動体の重さが他の移動体の重さと異なるように設定される、という構成も好ましくは採用される。
【００１０】
また、前記座部の後部には背もたれが配置され、前記移動体は、背もたれの上方で上下移動可能に設けられる、という構成も採ることができる。
【００１１】
なお、本明細書及び特許請求の範囲における方向若しくは位置を示す用語は、椅子を正面視した場合すなわち図１，３，５及び７中矢印Ａ方向から見た場合を基準とし、「前」とは、矢印Ａ方向から見た場合の手前側を示す一方、「後」とは、同奥行き側について用いられる。
【発明の効果】
【００１２】
本発明によれば、着座者が移動体を用いて運動を行うと同時に音を発することができる。これにより、恰も楽器を演奏するように楽しみながら運動することができ、着座者に運動を良好に促進できるばかりでなく、長い期間に亘る運動の継続性を高めることが可能となる。従って、特に、本発明の椅子をリハビリテーションに用いた場合、その療養効果や運動機能回復効果等を効率良く得ることが期待できる。
【００１３】
また、移動体により肘掛けを形成した場合、座部に座って肘掛けに肘を乗せると同時に、移動体を用いた運動の準備状態となり、気軽に運動及び発音を行えるようになって着座者に対する運動促進効果を発揮し易くすることができる。
【００１４】
更に、移動体を構成するスライダにより肘掛けの上面を形成した場合、肘掛けに肘を乗せて上半身を前傾させることにより、スライダがスライド移動することとなり、背中や肩のストレッチ運動等を気軽に行うことが可能となる。
【００１５】
また、重さの異なる複数の移動体を座部の側方に設けた場合、移動体をダンベルのように利用しつつ音を発生させることができ、着座しながら運動を楽しく行うことが可能となる。
【００１６】
更に、背もたれの上方で移動体を上下移動可能としたから、着座者の背中の後側で移動体を上下させるように運動することができ、背中や肩周りのトレーニングやストレッチ運動を簡単に行うことが可能となる。
【発明を実施するための最良の形態】
【００１７】
以下、本発明の好ましい実施の形態について図面を参照しながら説明する。
【００１８】
［第１実施形態］
図１及び図２には、第１実施形態に係る椅子の概略側面図がそれぞれ示されている。これらの図において、椅子１０は、水平方向に沿って位置する座部１１と、この座部１１の後部に位置する背もたれ１２と、座部１１及び背もたれ１２の左右の側部（図１中紙面直交方向両側）にそれぞれ配置された一対の肘掛け１３と、座部１１及び背もたれ１２を所定の高さ位置に支持する支持体としての四本の脚部１５とを備えて構成されている。
【００１９】
前記肘掛け１３は、前後の脚部１５，１５の上端側を連結する連結部１６と、この連結部１６の上部に設けられて前後に延びるベース１７と、このベース１７の上部に重なる位置に設けられて肘掛け１３の上面領域を形成するとともに、移動体を構成するスライダ１８とを備えている。ベース１７の上面側は、前後に並ぶ複数の刻み目を備えた波板状に形成されている。スライダ１８は、ベース１７に対して前後方向にスライド移動可能に設けられ、これにより、座部１１に対して相対移動できるようになっている。また、スライダ１８の下面側には、下向きに突出する突起１９が設けられている。従って、スライダ１８を前後にスライド移動させると、突起１９がベース１７上で擦れ、ギロと同様の原理によって発音するように設けられている。
【００２０】
以上の構成において、椅子１０を用いて運動を行う場合、先ず、図２に示されるように、その着座者Ｐがスライダ１８に肘を乗せつつ当該スライダ１８を把持する。その後、図１にも示されるように、着座者Ｐがスライダ１８を前後にスライド移動させることにより、腕を前に伸ばしたり上半身を前に倒したりするトレーニングやストレッチ運動を行えるようになる。このとき、スライダ１８の突起１９とベース１７との擦れ合いによって音が発することとなり、恰も楽器の演奏している感覚を着座者Ｐに生じさせることが可能となる。
【００２１】
従って、このような第１実施形態によれば、スライダ１８によって肘掛け１３を部分的に移動可能としたので、着座者Ｐに気軽に運動することを促すことができる。しかも、スライダ１８の移動により発音するので、リズムにあわせてスライダ１８を動かしたりする等、運動にアミューズメント性を付与してトレーニングやリハビリテーションの継続性を高めることが可能となる。
【００２２】
［第２実施形態］
次に、本発明の第２実施形態について説明する。図３には、第２実施形態に係る椅子の概略斜視図が示され、図４には、その使用状態を示す概略斜視図が示されている。これらの図において、椅子２０は、支持体としての四本の脚部２２と、これら脚部２２により所定高さに支持された座部２４と、この座部２４の後部及び左右両側部に設けられた移動体を構成する背もたれ及び肘掛け形成体２５（以下、「背もたれ等形成体２５」と称する）とを備えて構成されている。
【００２３】
前記背もたれ等形成体２５は、平面視で前方を開放するＣ字状に形成された当て部材２７と、座部２４の後部及び左右両側部から所定間隔毎に複数立設され、当て部材２７を上部側で支持する連結軸２８とを備えている。当て部材２７は、後部に着座者Ｐの背中側を寄り掛けることができ、左右両側に肘を乗せることができるように設けられている。各連結軸２８は、その両端側で図示省略したヒンジ構造等を介して座部２４及び当て部材２７に連結されており、座部２４の外周縁側に沿うように傾倒可能に設けられている。この傾倒により、座部２４に対し、当て部材２７が略水平方向に沿って図４中矢印Ｒ方向に回動可能となり、着座者Ｐが当て部材２７の左右両端側を把持しながら上半身を回転する運動を行えるようになっている。
【００２４】
ここで、前記連結軸２８には角度センサ（図示省略）が設けられ、当該角度センサは、所定の音源や増幅器等の制御手段を含む電子楽器（図示省略）に接続されている。これにより、当て部材２７を回動させたときに、前記角度センサが連結軸２８の傾き角度を検出し、当該検出信号に応じて所定の電子音が前記電子楽器から発せられる。なお、前記角度センサや電子楽器に代えて、電気を用いることなく連結軸２８の傾きに応じて発音する構造としてもよい。
【００２５】
従って、このような第２実施形態によれば、背もたれ等形成体２５を用いて上半身を捻り運動しつつ発音させることができ、これによっても、第１実施形態と同様の効果が得ることが可能となる。また、運動時に、当て部材２７により着座者Ｐの背中側と左右の脇側をサポートできるようになり、着座者Ｐに安心感を付与することが可能となる。
【００２６】
［第３実施形態］
図５には、第３実施形態に係る椅子の概略斜視図が示され、図６には、その使用状態を示す概略斜視図が示されている。これらの図において、椅子３０は、支持体としての四本の脚部３１と、これら脚部３１により所定高さに支持された座部３２と、この座部３２の後部に位置する背もたれ３３と、座部３２の左右両側部に配置されるとともに、前後の脚部３１，３１の上端に連なって前後に延びる左右一対の肘掛け３５，３５とを備えて構成されている。ここで、座部３２の左右の側方位置には、ダンベル状の外観を呈する複数の移動体３６がそれぞれ装着されている。
【００２７】
前記各移動体３６は、座部３２の左右両側において上下に三つずつ並設されており、下方に位置するに従って体積及び重さが増大するように設定されている。各移動体３６は、図示しない係合構造を介して脚部３１に着脱自在に設けられ、着座者Ｐが手をぶら下げたときに、当該手に面して把持し易いように配置されている。また、各移動体３６は、着座者Ｐが把持して持ち上げたりすることで、座部３２に対して相対移動可能となる。ここで、移動体３６は、特に限定されるものでないが、本実施形態では、中空形状に形成されるとともに、内部に粒状体又は粉状体が封入されている。従って、図６に示されるように、着座者Ｐが移動体３６を持ち上げたり振ったりすることにより、マラカスのように発音するようになっている。
【００２８】
従って、このような第３実施形態によっても、着座者Ｐが移動体３６を用いることにより、楽器を演奏するように発音を楽しみながら気軽に運動することが可能となる。
【００２９】
［第４実施形態］
図７には、第４実施形態に係る椅子の概略斜視図が示され、図８には、その使用状態を示す概略斜視図が示されている。これらの図において、椅子４０は、支持体としての四本の脚部４１と、これら脚部４１により所定高さに支持された座部４２と、この座部４２の後部に位置する背もたれ４３と、この背もたれ４３の後方に設けられた移動装置４５とを備えて構成されている。
【００３０】
前記移動装置４５は、図９に示されるように、背もたれ４３の上端側から上方にはみ出る位置に設けられた移動体を構成する把持部材４６と、背もたれ４３の後面側に設けられて把持部材４６を支持する支持手段４７と、背もたれ４３の後面側において支持手段４７に沿って位置する複数の発音部材４８とを備えて構成されている。
【００３１】
前記把持部材４６は、左右方向に延びるバー状に形成されるとともに、延出方向中間部で前記支持手段４７により下側から支持されている。把持部材４６は、図７に示される状態で、上着等を掛けるための衣紋掛けのように利用できるようになっている。
【００３２】
前記支持手段４７は、把持部材４６に連結されて上下に延びる軸状の連結部５０と、背もたれ４３の後面側に取り付けられるとともに、スリーブ５１を介して前記連結部５０を支持するブラケット５２と、このブラケット５２の下方位置で背もたれ４３の後面側に支持されるリール体５４と、連結部５０の下端側に接続されてリール体５４に巻回される紐状部材５５とを備えている。連結部５０には、弾性変形可能な保持軸５６を介して球状の打撃体５７が取り付けられている。リール体５４は、図示しない弾性体等を介して紐状部材５５を巻き取る方向の回転力が作用しており、これにより、常時は、連結部５０及び把持部材４６を図９に示される位置に維持するようになっている。
【００３３】
前記各発音部材４８は、左右方向に延びる棒状にそれぞれ形成され、前記打撃体５７で打撃されることで発音可能に設けられている。各発音部材４８は、背もたれ４３の後面に取り付けられた吊持手段５９により、上下方向に所定間隔毎に並設されている。各発音部材４８は、下方に位置するに従って左右長さが長くなるように設定されており、これにより、各発音部材４８の発音の音程が相互に変わるようになっている。
【００３４】
以上の構成において、椅子４０を用いて運動を行う場合、図８に示されるように、着座者Ｐが把持部材４６を把持しながら当該把持部材４６を上下に移動すればよい。このとき、前記リール体５４に作用する回転力により、着座者Ｐに把持部材４６を持ち上げる際の負荷が付与され、腕や肩周り等のトレーニングやストレッチ運動を行うことができる。また、把持部材４６の上下移動に伴って前記打撃体５７も上下移動し、当該上下移動で打撃体５７が通過する発音部材４８が打撃され、背もたれ４３の後方から木琴のように音を発することとなる。
【００３５】
従って、このような第４実施形態によっても、着座者Ｐが運動しながら発音させることができ、楽しみながら運動を継続することが可能となる。また、把持部材４６の重さやリール体５４に作用する回転力を適宜変えることで、運動に要する負荷を調整することもできる。
【００３６】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３７】
例えば、着座者Ｐの運動時に発音させるための構造は、種々の変更が可能であり、例えば、第１、第３及び第４実施形態において、移動体を構成する部材に位置センサを有する電子楽器を設け、移動速度や角度に応じて音量やテンポが変わるように発音させてもよい。
また、第４実施形態において、各発音部材４８は、全て同一長さとしたり、下方に位置するに従って左右長さが短くなるように設定したり、所定のメロディを奏するような長さ及び順序としてもよい。
更に、椅子の構成も種々の変更が可能であり、ベンチやソファ等のように、背もたれを省略したり、左右の何れか一方の肘掛けを省略したりしてもよい。
【図面の簡単な説明】
【００３８】
【図１】第１実施形態に係る椅子の使用状態を示す概略側面図。
【図２】図１の状態からスライダを初期位置に復帰させた状態の概略側面図。
【図３】第２実施形態に係る椅子の概略斜視図。
【図４】図３の使用状態を示す説明図。
【図５】第３実施形態に係る椅子の概略側面図。
【図６】図５の使用状態を示す説明図。
【図７】第４実施形態に係る椅子の概略側面図。
【図８】図７の使用状態を示す説明図。
【図９】図７の椅子を後方から見た部分拡大斜視図。
【符号の説明】
【００３９】
１０，２０，３０，４０・・・椅子、１１，２４，３２，４２・・・座部、１３・・・肘掛け、１８・・・スライダ（移動体）、２５・・・背もたれ及び肘掛け形成体（移動体）、３６・・・移動体、４３・・・背もたれ、４６・・・把持部材（移動体）、Ｐ・・・着座者
【図１】
2007061146.tif 000003
【図２】
2007061146.tif 000004
【図３】
2007061146.tif 000005
【図４】
2007061146.tif 000006
【図５】
2007061146.tif 000007
【図６】
2007061146.tif 000008
【図７】
2007061146.tif 000009
【図８】
2007061146.tif 000010
【図９】
2007061146.tif 000011